(57)【要約】      （修正有）【課題】水収容外槽を設ける必要がなく、長期間使用しても汚れが蓄積しない水収容外槽レス式全自動洗濯機を提供する。【解決手段】水収容外槽レス式洗濯機は、ハウジング内に内槽１が取り付けられており、内槽１の底部中心に排水口６が設けられており、内槽１の内壁にいくつかの凹溝２が設けられており、凹溝２が上から下へ内槽１の底部まで延在している。また、内槽１の内壁にいくつかのカバーが設けられてもよく、カバーは上から下へ内槽の底部まで延在し、カバーの縁部が内槽１の内壁に密着し、カバーと内槽１との密着箇所の一側にスロットが開設されており、スロットは槽回転脱水時の回転方向を向いており、内槽１が高速回転しているとき、衣類内の水分が内壁に向かって飛散し、内壁に沿って流れ、水分がカバーのスロットを経由してカバーの空間内に流入した後、カバーが衣類を隔てるため、衣類が水分と分離される。【選択図】図２
0003231831.tif 000002
【実用新案登録請求の範囲】
【請求項１】
内槽の底部中央に排水口が設けられており、前記内槽の内壁にいくつかの凹溝が設けられており、前記凹溝が上から下へ内槽の底部まで延在するか、あるいは、前記内槽の内壁にいくつかのカバーが設けられており、前記カバーは上から下へ内槽の底部まで延在し、カバーの縁部が内槽の内壁に密着し、カバーと内槽との密着箇所の一側にスロットが開設されており、スロットは槽回転脱水時の回転方向を向いている外槽レス式洗濯機。
【請求項２】
前記凹溝の溝口がすぼまってスロットとなり、前記溝口の幅が溝底の幅よりも小さい請求項１に記載の外槽レス式洗濯機。
【請求項３】
前記凹溝は、内槽の内壁上で鉛直方向または斜め方向に沿って内槽底部まで延在する請求項２に記載の外槽レス式洗濯機。
【請求項４】
前記内槽の底部は凹設されて円形を呈しており、かつ、中央に排水口を設ける請求項１に記載の外槽レス式洗濯機。
【請求項５】
多孔パルセータをさらに備え、前記多孔パルセータは内槽１の底部と一定の距離だけ隔たっており、前記多孔パルセータにいくつかの小孔が設けられており、パルセータと内槽の内壁とが留め具によって連結され、内槽本体と連動可能である請求項３に記載の外槽レス式洗濯機。
【請求項６】
前記内槽の内壁にいくつかのカバーが設けられており、前記カバーは上から下へ内槽の底部まで延在し、カバーの縁部が内槽の内壁に密着し、カバーと内槽との密着箇所の一側にスロットが開設されており、スロットは槽回転脱水時の回転方向を向いている請求項４に記載の外槽レス式洗濯機。
【請求項７】
前記カバーは留め具によって内槽に連結され、取り外して清掃するのに便利である請求項４に記載の外槽レス式洗濯機。
【請求項８】
前記多孔パルセータは前記内槽の内壁に固定連結され、前記多孔パルセータは内槽本体と連動可能である請求項５に記載の外槽レス式洗濯機。
【請求項９】
前記多孔パルセータの縁部はカバーの縁部に密着し、内部空間が連通する請求項５に記載の外槽レス式洗濯機。
【請求項１０】
カバーの内部において上から下へ内槽底部まで延在して邪魔板が設けられていてもよく、スロットがカバーの両側に開設された請求項４に記載の外槽レス式洗濯機。
【考案の詳細な説明】
【技術分野】
【０００１】
本考案は洗濯機の技術分野に関し、具体的には、水収容外槽レス式全自動洗濯機に関する。
【背景技術】
【０００２】
現在のところ、家庭用全自動洗濯機はいずれも内外槽構造を採用しており、内槽が洗浄および脱水を担当し、外槽が水収容を担当する。洗浄プロセス全体において、一部の汚れが内槽の外壁および外槽の内壁に付着し、長期間にわたって積み重なり、汚れが増え続け、二次汚染につながることがある。内槽の外壁および外槽の内壁は見えない面であるため、徹底的に清掃する必要がある場合には内槽を取り外さなければならず、取り扱いが煩わしい。
【０００３】
内槽と外槽の間の汚れに着目した従来技術が、特許文献１に記載されている。特許文献１では、洗濯機のキャビネットと、外槽に透明部分を設け、外槽と内槽との間の汚れを見ることができる洗濯機の発明を開示している。
【先行技術文献】
【特許文献】
【０００４】
【特許文献１】特開２０１０−３６０１２号公報
【考案の概要】
【考案が解決しようとする課題】
【０００５】
本考案が解決しようとする技術的課題は、水収容外槽を設ける必要がなく、長期間使用しても汚れが蓄積しない全自動洗濯機を提供することである。
【課題を解決するための手段】
【０００６】
本考案が採用する技術的解決手段は次の通りである。前記洗濯機のハウジング内に内槽が取り付けられており、前記内槽の底部に排水口が設けられており、前記内槽の内壁にいくつかの凹溝が設けられており、前記凹溝が上から下へ内槽の底部まで延在するか、あるいは、前記内槽の内壁にいくつかのカバーが設けられており、前記カバーは上から下へ内槽の底部まで延在し、カバーの縁部が内槽の内壁に密着し、カバーと内槽との密着箇所の一側にスロットが開設されており、スロットは槽回転脱水時の回転方向を向いている。
【０００７】
好ましくは、前記凹溝２の溝口がすぼまってスロットとなり、前記溝口の幅が溝底の幅よりもはるかに小さい。
【０００８】
好ましくは、前記凹溝２は、内槽の内壁上で鉛直方向または斜め方向に内槽底部まで延在する。
【０００９】
好ましくは、前記内槽の底部は凹設されて円形を呈しており、前記排水口は前記内槽の底部中心に設けられる。
【００１０】
好ましくは、多孔パルセータにいくつかの小孔が設けられており、前記多孔パルセータは内槽１の底部と一定の距離だけ隔たっており、前記多孔パルセータと前記内槽とが留め具を用いて固定連結され、前記多孔パルセータは内槽本体と連動可能である。
【００１１】
好ましくは、内槽の内壁にいくつかのカバーが設けられており、カバーは上から下へ内槽の底部まで延在し、カバーの縁部が内槽の内壁に密着し、カバーと内槽との密着箇所の一側にスロットが開設されており、スロットは槽回転脱水時の回転方向を向いている。
【００１２】
好ましくは、前記多孔パルセータの縁部はカバーの縁部に密着し、内部空間が連通する。
【考案の効果】
【００１３】
従来技術と比べ、本考案が果たす有益な効果は次の通りである。
本考案は、洗濯機の内槽のみを用いて、従来の洗濯機の洗浄および回転脱水の機能を遂行している。従来の全自動洗濯機の水収容外槽および脱水孔の設計をなくしており、洗浄プロセス全体において、洗浄水が内槽の外壁および外槽の内壁に付着して汚れを堆積させる状況を回避している。
【図面の簡単な説明】
【００１４】
本考案の実施例中の技術的解決手段をより明確に説明するため、以下、実施例の記述において使用する必要のある図面について簡単に説明する。もちろん、以下の記述における図面は本考案の好ましい実施例であるに過ぎず、当業者にとっては、創造的作業なしに、これらの図面に基づいて他の図面を得ることができる。
【図１】本考案の実施例１の内槽構造の平面図である。
【図２】本考案の実施例１の内槽構造の断面図である。
【図３】本考案の実施例２の内槽構造の断面図である。
【考案を実施するための形態】
【００１５】
本考案の技術的内容をよりよく理解するため、以下、具体的な実施例を提供するとともに、図面を参照しながら本考案についてさらに説明する。
【００１６】
（実施例１）
図１、図２を参照して、外槽レス式洗濯機であって、前記洗濯機には内槽１が取り付けられており、前記内槽１の底部に排水口６が設けられており、前記内槽１の内壁にいくつかの凹溝２が設けられており、凹溝２の溝口がすぼまってスロットとなり、前記溝口の幅が溝底の幅よりもはるかに小さく、前記凹溝２が上から下へ内槽１の底部まで延在する。
【００１７】
洗浄時には、排水口６が閉まり、内槽１に水が溜まり、内槽を回転させることによって衣類を洗浄する。脱水時には、排水口６が開き、回転機構が内槽１を動かして高速回転させ、衣類内の水分が内壁に向かって飛散し、内壁に沿って流れ、水分が凹溝の溝口を流れる際に凹溝の空間内に流れ込む。凹溝の開口が小さいので、衣類を隔てる役割を果たしており、衣類が水分と分離される。このときに内槽の回転速度を低下させれば、水分が重力の作用で凹溝の空間内で内槽の底部に流入し、内槽から排出される。
【００１８】
具体的には、前記凹溝２の溝口がすぼまってスロットとなり、すぼまった溝口は、衣類が凹溝２内の回転脱水水と接触するのを効果的に回避することができる。溝底は溝口よりもはるかに幅広く、回転脱水水に対する凹溝２の容量を効果的に増大させ、水の排出速度を高め、ひいては脱水プロセスを加速することができる。
【００１９】
具体的には、前記凹溝２は内槽１の内壁上で鉛直方向または斜め方向に沿って内槽１の底部まで延在し、前記凹溝２の延在方向が回転脱水水に対して案内作用を果たし、凹溝２中の回転脱水水が重力の作用で凹溝２に沿って内槽１の底部に集められるとともに、排水口６を介して内槽１から排出される。
【００２０】
具体的には、前記内槽１の底部は凹設されて円形を呈しており、洗浄水が内槽１の底部にさらによく集まり排水口６を介して排出されるようにすることができる。
【００２１】
具体的には、前記排水口６は前記内槽１の底部中心に設けられる。前記中心の位置は内槽１底部の最低点であり、すべての洗浄水が排水口６に集まって排出されることを確実にしている。
【００２２】
具体的には、前記洗濯機は多孔パルセータ３をさらに備え、前記多孔パルセータにいくつかの小孔が設けられており、排水時に、洗浄水が重力の作用で前記小孔を介して内槽１の底部に集まって入ることができ、前記多孔パルセータは内槽１の底部と一定の距離だけ隔たっており、衣類を、槽底部に集まる回転脱水水から隔て、衣類が回転脱水水に接触し、ひいては脱水効果に影響するのを回避する。前記多孔パルセータは取り外し可能式であり、前記内槽１から取り出すことができ、内槽１の底部を徹底的に清掃するのに便利である。
【００２３】
本設計は、外槽および脱水孔の設計をなくしており、洗浄水が脱水孔を介して内槽の外壁および外槽の内壁に付着して汚れを堆積させる状況を回避している。説明を要するのは、本例では従来の洗濯機の一般的な機構および部材が必要であるが、当業者は従来技術における機構および部材を用いて相応の機能を実現することができ、本実施例については、ここで具体的な叙述は行わない、という点である。
【００２４】
（実施例２）
図３を参照すると、本実施例２と実施例１の違いは、前記図１の凹溝２を図３の前記カバー４に変更した点にある。具体的には、前記内槽の内壁にいくつかのカバー４が等間隔に設けられており、前記カバーは上から下へ内槽の底部まで延在し、カバーの縁部が内槽の内壁に密着し、槽底部においてカバーとパルセータの縁部とが密着して一体の外面を形成し、カバーの内部空間が内槽底部に直接通じており、カバーと内槽との密着箇所の一側にスロットが開設されており、スロットは槽回転脱水時の回転方向を向いており、カバーは取り外し可能であり、留め具によって内槽に一体に連結されている。内槽が高速回転しているとき、槽内の衣類内の水分が内壁に向かって飛散し、内壁に沿って流れるとともに内壁とカバーのスロットとを経由してカバーの空間内に流入し、カバーが隔てるため、衣類が水分と分離される。このときに内槽の回転速度を低下させれば、水分が重力の作用でカバーの空間内で内槽の底部に流入し、回転脱水機能を遂行する。
【００２５】
具体的には、前記カバー４が上から下へ内槽底部まで延在しており、カバーの内部空間７が内槽底部に直接通じている。
【００２６】
具体的には、前記カバーの縁部が内槽の内壁に密着し、カバーと内槽との密着箇所の一側にスロット５が開設されており、スロットは槽回転脱水時の回転方向を向いている。
【００２７】
具体的には、カバーは留め具８によって内槽に連結され、取り外し可能であり、槽底部でカバーとパルセータの縁部とが密着する。
【００２８】
また、本考案は、以下の内容も含む。
即ち、本考案は、ハウジング内に内槽が取り付けられており、前記内槽の底部中心に排水口が設けられており、前記内槽の内壁にいくつかの凹溝が設けられており、前記凹溝が上から下へ内槽の底部まで延在する水収容外槽レス式洗濯機を開示している。内槽が回転する際に、衣類の中の水分が遠心力の作用で凹溝に入るとともに、重力の作用および凹溝の案内作用で内槽の底面に集められ、排水口を介して内槽から排出される。
【００２９】
あるいは、前記内槽の内壁にいくつかのカバーが設けられており、前記カバーは上から下へ内槽の底部まで延在し、カバーの縁部が内槽の内壁に密着し、カバーと内槽との密着箇所の一側にスロットが開設されており、スロットは槽回転脱水時の回転方向を向いており、内槽が高速回転しているとき、衣類内の水分が内壁に向かって飛散し、内壁に沿って流れ、水分がカバーのスロットを経由してカバーの空間内に流入した後、カバーが衣類を隔てるため、衣類が水分と分離される。
【００３０】
このときに内槽の回転速度を低下させれば、水分が重力の作用でカバーの空間内で内槽の底部に流入する。以上のプロセスを多数回繰り返せば、回転脱水機能を遂行することができる。本考案は構造が簡単であり、水収容外槽および脱水孔の設計をなくしており、洗浄水が脱水孔を介して内槽の外壁および外槽の内壁に付着堆積して汚れが生じるのを効果的に回避している。
【００３１】
上記は、本考案の好ましい実施例であるに過ぎず、本考案を制限するためには用いられない。本考案の趣旨と原則の枠内で行われたいかなる修正、均等物置換、改良等も、すべて本考案の保護範囲に含まれていなければならない。
【符号の説明】
【００３２】
１…内槽、２…凹溝、３…パルセータ、４…カバー、５…スロット、６…排水口、７…カバー内部空間、８…留め具
【図１】
0003231831.tif 000003
【図２】
0003231831.tif 000004
【図３】
0003231831.tif 000005